(57)【要約】      （修正有）【課題】簡単な構造で簡単に破断線を切断して容易に蓋部を切離して開封可能な包装箱を提供する。【解決手段】一枚のブランクシートから一体的に打ち抜かれた箱体形成片から成り、正面板１４には開封用の破断線３４を有し、破断線３４よりも上面板１６に近い部分は蓋部３２となり、破断線３４の途中には切断を開始する開口部３６を備える。正面板１４と上面板１６の間には、２本の湾曲した湾曲折線２４を備える。湾曲折線２４の一方は正面板１４側に膨らむように湾曲し、他方は上面板１６側に膨らむように湾曲している。湾曲折線２４の両端部は、正面板１４の角部に位置し、正面板１４が上面板１６に対して約直角に折り曲げ可能な円弧で形成されている。正面板１４は、湾曲折線２４の形状に沿って曲げられて中央部分が緩やかに外側に膨らむように変形している。破断線３４の途中に設けられた蓋部３２の縁部と、正面板１４の裏面の糊付片２２との間に隙間が生じている。【選択図】図１
0003177116.tif 000002
【実用新案登録請求の範囲】
【請求項１】
一枚のブランクシートから一体的に打ち抜かれた箱体形成片から成り、
前記箱体形成片には、正面板、上面板、背面板、底面板、及び前記底面板に連接され端部に位置して前記正面板の裏面に糊付けされる糊付片が前記の順に設けられ、
前記正面板には開封用の破断線が設けられ、前記破断線よりも前記上面板に近い部分は蓋部となり、前記破断線の途中には前記破断線の切断を開始する開口部が設けられ、
前記正面板と前記上面板の間には、２本の湾曲した湾曲折線が設けられ、前記湾曲折線の一方は前記正面板側に位置し前記正面板側に突出するように湾曲し、他方は前記上面板側に位置し前記上面板側に突出するように湾曲し、２本の湾曲折線の両端部は、前記正面板の角部に位置し、前記正面板が前記上面板に対して約直角に折り曲げ可能な円弧で形成され、
前記包装箱の組立状態では、前記正面板は前記湾曲折線の形状に沿って曲げられて中央部分が緩やかに外側に膨らむように変形し、前記破断線の途中に設けられている前記開口部の前記蓋部側の縁部は、前記正面板の裏面に糊付けされている前記糊付片との間に隙間が生じていることを特徴とする包装箱。
【請求項２】
前記破断線は互いに交差するように形成され、前記蓋部は前記湾曲折線を底辺とし前記湾曲折線と反対側の側縁部に向かって突出する三角形状に設けられ、前記蓋部の頂点の外側に隣接して前記開口部が設けられ、前記開口部の前記蓋部側の縁部は摘み部であり、前記摘み部を保持して引き上げ、前記破断線を切断可能に設けられた請求項１記載の包装箱。
【考案の詳細な説明】
【技術分野】
【０００１】
この考案は、一方の面に設けられた破断線を切断して開封する包装箱に関する。
【背景技術】
【０００２】
従来、１枚のブランクシートから一体的に打ち抜かれた箱体形成片からなる包装箱には、一方の面に破断線で囲まれた蓋部が設けられ、開封する際は破断線を切断して蓋部を切り取るものがある。切り取られた蓋部は一部が正面板に連続して上方に開き、収容物が取り出しやすいように、大きい開口部が形成される。開封後に蓋部を戻して係止して再封可能なものもある。
【０００３】
例えば、特許文献１に開示されている傾斜陳列包装箱は、天板、後板、底板、前板及び側板が設けられ、天板の前方から側部沿いに後方へ切目線を入れて、その内側に蓋が形成されている。天板には脚部が連続して設けられ、蓋の先端側を形成する切目線が脚部に入っている。この傾斜陳列包装箱を開封するときは、天板の面の中にある切目線を切断して蓋を開くもので、切目線の切断を開始するためには、脚部を指で押し下げて蓋の先端を突出させ、突出した先端に指をかけて持ち、引き起こすものである。
【先行技術文献】
【特許文献】
【０００４】
【特許文献１】特開２００８−１６８９１５号公報
【考案の概要】
【考案が解決しようとする課題】
【０００５】
上記背景技術の場合、開封する際に脚部を押して変形させるものであり、脚部が壊れたり変形が戻らないことがある。このため、再封して使用する時に外観がよくないことがある。また、強く押すと傾斜陳列包装箱が変形し、中の収容物がこわれるおそれもある。
【０００６】
この考案は、上記背景技術の問題点に鑑みてなされたものであり、簡単な構造で簡単に破断線を切断して容易に蓋部を切離して開封可能な包装箱を提供することを目的とする。
【課題を解決するための手段】
【０００７】
この考案は、一枚のブランクシートから一体的に打ち抜かれた箱体形成片から成り、前記箱体形成片には、正面板、上面板、背面板、底面板、及び前記底面板に連接され端部に位置して前記正面板の裏面に糊付けされる糊付片が前記の順に設けられ、前記正面板には開封用の破断線が設けられ、前記破断線よりも前記上面板に近い部分は蓋部となり、前記破断線の途中には前記破断線の切断を開始する開口部が設けられ、前記正面板と前記上面板の間には、２本の湾曲した湾曲折線が設けられ、前記湾曲折線の一方は前記正面板側に位置し前記正面板側に突出するように湾曲し、他方は前記上面板側に位置し前記上面板側に突出するように湾曲し、２本の湾曲折線の両端部は、前記正面板の角部に位置し、前記正面板が前記上面板に対して約直角に折り曲げ可能な円弧で形成され、前記包装箱の組立状態では、前記正面板は前記湾曲折線の形状に沿って曲げられて中央部分が緩やかに外側に膨らむように変形し、前記破断線の途中に設けられている前記開口部の前記蓋部側の縁部は、前記正面板の裏面に糊付けされている前記糊付片との間に隙間が生じている包装箱である。
【０００８】
前記破断線は互いに交差するように形成され、前記蓋部は前記湾曲折線を底辺とし前記湾曲折線と反対側の側縁部に向かって突出する三角形状に設けられ、前記蓋部の頂点の外側に隣接して前記開口部が設けられ、前記開口部の前記蓋部側の縁部は摘み部であり、前記摘み部を保持して引き上げ、前記破断線を切断可能に設けられたものである。
【考案の効果】
【０００９】
この考案の包装箱は、簡単な構造で簡単に破断線を切断して容易に開封することができるものである。さらに、破断線の切断を開始する際に力を加えることがなく、開封時の包装箱や中の収容物の破損を防ぐことができるものである。
【図面の簡単な説明】
【００１０】
【図１】この考案の一実施形態の包装箱の未開封の状態を示す斜視図である。
【図２】この考案の一実施形態の包装箱の開封した状態を示す斜視図である。
【図３】この考案の一実施形態の包装箱の展開図である。
【図４】この考案の一実施形態の包装箱の上面図である。
【考案を実施するための形態】
【００１１】
以下、この考案の実施形態について図面に基づいて説明する。図１〜図４はこの考案の一実施形態を示すもので、この実施形態の包装箱１０は、紙製等の一枚のブランクシートを打ち抜いて形成された箱体形成片１２を組み立てて設けられている。
【００１２】
図３は、箱体形成片１２を表面から見た展開図であり、箱体形成片１２は、正面板１４、上面板１６、背面板１８、底面板２０が、互いに平行に連接して形成されている。正面板１４、上面板１６、背面板１８、底面板２０は、連接している幅方向は同じ長さであり、連接方向の長さは正面板１４、背面板１８が長くて互いにほぼ等しく、上面板１６、底面板２０が短くて互いにほぼ等しい。底面板２０の側縁部には、包装箱１０の組立状態で正面板１４の裏面に糊付けされる糊付片２２が設けられている。糊付片２２は、正面板１４よりも少し小さいものである。そして、正面板１４と上面板１６の間には、２本の湾曲した湾曲折線２４が設けられている。湾曲折線２４の一方は正面板１４側に位置し正面板１４側に湾曲し、他方は上面板１６側に位置し上面板１６側に突出するように湾曲されている。２本の湾曲折線２４の両端部は、正面板１４の角部に位置し、正面板１４が上面板１６に対して約直角に折り曲げ可能な円弧で形成されている。上面板１６、背面板１８、底面板２０、糊付片２２は、各々折罫線２６，２８，３０で区切られ、各折罫線２６，２８，３０は１本の直線で設けられている。
【００１３】
正面板１４には、湾曲折線２４を底辺とし湾曲折線２４と反対側の側縁部１４ａに向かって突出する三角形状の蓋部３２が、破断線３４に区切られて設けられている。破断線３４は、正面板１４を連接方向に対して交差する方向にハ字状に設けられ、破断線３４の中心は正面板１４の側縁部１４ａに近づく位置にあり破断線３４の切断を開始するための開口部３６が隣接して形成されている。開口部３６は、側縁部１４ａに対して平行な一辺を有する小さい矩形に形成され、側縁部１４ａと離れた方の縁部は破断線３４に連続し開口部３６の内側に向かって突出する円弧が２個連結された形状の摘み部３８となる。摘み部３８の内側には、開口部３６から離れる方に凸となる円弧状の切断線４０が設けられ、切断線４０の内側は蓋部３２を再封するための差込片４２となる。
【００１４】
正面板１４の、側縁部１４ａに対して交差する一対の端部１４ｂの近傍には、糊付片２２に糊付けされる糊付部４４がコの字形の破断線４６で囲まれて設けられている。
【００１５】
上面板１６の、正面板１４の一対の端部１４ｂにそれぞれ隣接する一対の端部には、後述する一対の側面５４に連続する扇形の折込片４８が折罫線５０で区切られてそれぞれ設けられている。折込片４８は、折罫線５０と折罫線２６の交点である角部を中心とする約９０°の扇形状である。折込片４８には、折罫線５０と折罫線２６の交点から、折罫線５０に対して約４５°に位置する直線の折罫線５２が設けられている。
【００１６】
背面板１８の、上面板１６の一対の折罫線５０に隣接する端部には、矩形の側面５４が折罫線５６で区切られてそれぞれ設けられている。側面５４の折罫線５６から先端までの長さは、上面板１６、底面板２０の連接方向の長さとほぼ等しい。各側面５４の、折罫線５６と反対側の端部には、差込片５８が折罫線６０で区切られてそれぞれ設けられている。各側面５４の折罫線２６の延長線上に位置する側縁部には、折込片４８が折罫線５１で区切られて連続している。
【００１７】
底面板２０の、背面板１８の一対の折罫線５６に隣接する端部には、台形状のフラップ６２が折罫線６４で区切られて設けられている。
【００１８】
糊付片２２は、折罫線３０と反対側の側縁部２２ａの中央付近が糊付片２２の内側に向かって台形状に切り欠かれ、中に入れた収容物が取り出しやすくされている。糊付片２２の、側縁部２２ａの近傍には、側縁部２２ａに対して平行な方向に長いスリット６６が形成されている。スリット６６は、正面板１４の蓋部３２の差込片４２が差し込まれて、再封されるものである。糊付片２２の、底面板２０の折罫線６４にそれぞれ隣接する一対の端部２２ｂの近傍には、差込片５８に糊付けされる糊付部６８がコの字型形の破断線７０で囲まれてそれぞれ設けられている。
【００１９】
次に、この実施形態の包装箱１０の組立方法の一例について説明する。なお、ここで図３が包装箱１０の箱体形成片１２の表面を見たものであり、箱体形成片１２の表面が凸になる折り方を正折り、そして裏面が凸になる折り方を逆折りと称する。
【００２０】
まず、箱体形成片１２の裏面に、正面板１４の側縁部１４ａ近傍に側縁部１４ａに沿って糊７２を塗布し、正面板１４の一対の糊付部４４に糊７４をそれぞれ塗布し、糊付片２２の一対の糊付部６８に糊７６をそれぞれ塗布する。糊７２，７４，７６は、例えばホットメルトやシール等である。次に、箱体形成片１２の裏面を上にして広げ、所定の位置に収容物を並べて置く。そして、一対の折罫線５６と折罫線６０を９０°に正折りして側面５４と差込片５８を背面板１８に対して直角なＬ字形に立ち上げ、折罫線２８と折罫線３０を９０°に正折りして底面板２０と糊付片２２を背面板１８に対して直角なＬ字形に立ち上げ、このとき、折罫線６４を９０°に正折りしてフラップ６２を側面５４の裏面に差し込む。糊付片２２の糊付部６８の裏面は糊７６により差込片５８の表面に糊付けされる。
【００２１】
次に、折罫線２６と湾曲折線２４を９０°に正折りして上面板１６と正面板１４を背面板１８に対して直角なＬ字形に立ち上げ、このとき折罫線５０，５１を正折りして折罫線５２を逆折りして折込片４８を折り畳んで側面５４の裏面に重ねる。正面板１４の裏面は糊７２で糊付片２２の表面に糊付けされ、正面板１４の糊付部４４の裏面は糊７４により糊付片２２の糊付部６８の表面に糊付けされ、図１、図４に示すように包装が完了する。包装箱１０は、２本の湾曲折線４２が鈍角に折り曲げられ、正面板１４は湾曲折線２４の形状に沿って曲げられて中央部分が緩やかに外側に膨らむ方向に変形し、摘み部３８が糊付片２２から浮いて隙間が生じる。
【００２２】
また、包装箱１０の組立工程は、上記以外でもよい。例えば、箱体形成片１２に収容物を入れる前に、糊７２と糊７４を塗布し、まず折罫線３０を正折りし、次に折罫線２６を正折りし、正面板１４の裏面を糊付片２２に糊付けした折り畳み状態とし、この状態で出荷されてもよい。出荷された後、収容物を入れる工場等で湾曲折線２４、折罫線２６，２８，３０を９０°に正折りして正面板１４、上面板１６、背面板１８、底面板２０を四角の箱体にして中に収容物を入れ、その後に側面５４と差込片５８を組み立てて封止してもよい。
【００２３】
次に、包装箱１０の開封方法について説明する。開封する際には、開口部３６に指を入れて摘み部３８の裏面に差し込み、引き上げる。このとき、摘み部３８は正面板１４が外側に膨らむ方向に変形していることから、開口部３６の中に位置する糊付片２２の表面から浮いて隙間が生じているため、簡単に指を裏面に差し込むことができる。そして引き上げ続けると破断線３４が切断され、図２に示すように蓋部３２が正面板１４から離れて上方に大きく開口する。このとき折込片４８が広げられて、蓋部３２に連続して上面板１６も開き、包装箱１０の正面と上面の２方向が開口される。指を摘み部３８の裏面に差し込むときに湾曲折線２４を包装箱１０の内側に押すと、より正面板１４の変形が大きくなり、開封しやすくなる。
【００２４】
包装箱１０を開封後、再び蓋部３２を閉じるときは、蓋部３２の切断線４０で形成された差込片４２を糊付片２２のスリット６６に差し込んで再封する。また、使用した包装箱１０を破棄する時は、正面板１４の糊付部４４を押して破断線４６を切断して、糊付部４４を正面板１４から分離させることで差込片５８との糊付けを解除し、箱体を折り畳み状態にすることができ廃棄しやすくなる。糊付部４４を押すと、同時に糊付片２２の糊付部６８も糊付片２２から分離して差込片５８との糊付けが解除される。
【００２５】
この実施形態の包装箱１０によれば、簡単な構造で容易に破断線３４を切断して蓋部３２を開口して開封することができる。破断線３４の切断を開始する際に、摘み部３８が糊付片２２から浮いて隙間が生じて、容易に摘み部３８の裏面に指を入れて摘むことができる。摘み部３８を容易に摘んで開封するため、強い力を加える必要がなく、包装箱１０や収容物の破損を防ぐことができる。また、湾曲折線２４を押すことで正面板１４の変形が大きくなり、より摘みやすくすることができる。２本の湾曲折線２４で囲まれた部分は凸レンズ形になり、外観の印象を強くすることができる。
【００２６】
なお、この考案の包装箱は、上記各実施の形態に限定されるものではなく、各側面の大きさや形状、底部の構造等、自由に変更可能である。包装箱の組立工程は上記以外でもよい。
【符号の説明】
【００２７】
１０  包装箱
１２  箱体形成片
１４  正面板
１６  上面板
１８  背面板
２０  底面板
２２  糊付片
２４  湾曲折線
３２  蓋部
３４  破断線
３６  開口部
３８  摘み部
【図１】
0003177116.tif 000003
【図２】
0003177116.tif 000004
【図３】
0003177116.tif 000005
【図４】
0003177116.tif 000006